(57)【要約】      （修正有）【課題】ペットの体重や体温を同時に一台で測定することが可能な体温センサー付きペット用体重計を提供する。【解決手段】体温センサー付きペット用体重計において、ペットの左右の足の股に張る体温センサーとフレキシブルなリード線及び表示部からなり、リード線は体温センサーとマイクロコンピュータの入力ポートに接続されると共に、表示部とマイクロコンピュータの出力ポートとが信号線で電気的に接続されていることを特徴とする体温センサー付きペット用体重計。【選択図】図１
0003146833.tif 000002
【実用新案登録請求の範囲】
【請求項１】
体温センサー付きペット用体重計において、ペットの左右の足の股に張る体温センサーとフレキシブルなリード線及び表示部からなり、リード線は体温センサーとマイクロコンピュータの入力ポートに接続されると共に、表示部とマイクロコンピュータの出力ポートとが信号線で電気的に接続されていることを特徴とする体温センサー付きペット用体重計。
【請求項２】
体温センサー付きペット用体重計において、体重センサーとフレキシブルな第２リード線からなり、第２リード線は体重センサーとマイクロコンピュータの入力ポートに接続されると共に、表示部とマイクロコンピュータの出力ポートとが信号線で電気的に接続されていることを請求項１に記載の体温センサー付きペット用体重計。
【請求項３】
表示部が、体温表示部と体重表示部とを備えていることを特徴とする請求項１〜２の何れかに記載の体温センサー付きペット用体重計。
【請求項４】
表示部が、体温表示と体重表示を時間切り替えにより行うことを特徴とする請求項１〜３の何れかに記載の体温センサー付きペット用体重計。
【請求項５】
体温センサーからの体温測定値情報をマイクロコンピュータの入力ポートに伝送し、マイクロコンピュータのＣＰＵで演算処理し、体温情報を出力ポートへ出力し、体温情報を表示部へ伝送して表示させることを特徴とする請求項１〜４の何れかに記載の体温センサー付きペット用体重計。
【請求項６】
体重センサーからの体重測定値情報をマイクロコンピュータの入力ポートに伝送し、マイクロコンピュータのＣＰＵで演算処理し、体重情報を出力ポートへ出力し、体重情報を表示部へ伝送して表示させることを特徴とする請求項１〜５の何れかに記載の体温センサー付きペット用体重計。
【請求項７】
表示部が、体温表示部と体重表示部とからなり、体温センサーからの体温測定値情報をマイクロコンピュータの入力ポートに伝送し、マイクロコンピュータのＣＰＵで演算処理し、体温情報を出力ポートへ出力し、体温情報を体温表示部へ伝送して表示させることを特徴とする請求項１〜６の何れかに記載の体温センサー付きペット用体重計。
【請求項８】
表示部が、体温表示部と体重表示部とからなり、体重センサーからの体重測定値情報をマイクロコンピュータの入力ポートに伝送し、マイクロコンピュータのＣＰＵで演算処理し、体重情報を出力ポートへ出力し、体重情報を体重表示部へ伝送して表示させることを特徴とする請求項１〜７の何れかに記載の体温センサー付きペット用体重計。
【考案の詳細な説明】
【技術分野】
【０００１】
本考案は、体温計付きペット用体重計に関する。
【０００２】
本考案は、より詳しくは、体温センサー付きペット用体重計において、ペットの左右の足の股に張る体温センサーとフレキシブルなリード線及び表示部からなり、リード線は体温センサーとマイクロコンピュータの入力ポートに接続されると共に、表示部とマイクロコンピュータの出力ポートとが信号線で電気的に接続されていることを特徴とする体温センサー付きペット用体重計に関する。
【０００３】
本考案は、より詳しくは、体温センサー付きペット用体重計において、体重センサーとフレキシブルな第２リード線からなり、第２リード線は体重センサーとマイクロコンピュータの入力ポートに接続されると共に、表示部とマイクロコンピュータの出力ポートとが信号線で電気的に接続されていることを請求項１〜２の何れかに記載の体温センサー付きペット用体重計に関する。
【背景技術】
【０００４】
近年、ペットの健康に対する関心が高まっており、体重や体温等を毎日測定して記録し、ペットの健康のバロメータとしてこれらを管理しようとするニーズが増加しつつある。
【０００５】
しかるに、犬や猫等のペットの体重を計測する際、従来は、飼い主等の人が体重計にペットを乗せてその体重計の目盛を読み取っているのが通常であった。
【０００６】
また一方、従来、動物の体温を測定する方法としては、体温計をペットの肛門に所定時間挿入して直腸温を計測する方法が一般的に広く知られている。
【０００７】
しかし、専門知識を持たないペットの飼い主が専門用具もない家庭において、直腸温の測定を実行することは非常に困難であった。
【０００８】
すなわち、直腸温の測定に際して、ペットが暴れたり、逃げたり、また、それらの行為を飼い主が強制的に抑制しようとすることでペットが傷つき、更には体温計が破損して、大きなケガになる可能性があるので、ほとんどの飼い主は測定したことがないのが実状である。
【０００９】
体重や体温を毎日測定して記録し、ペットの健康のバロメータとしてこれらを管理しようとするニーズが増加しつつあるにも拘わらず、ペットの体重や体温を同時に一台で測定することが可能な体温センサー付きペット用体重計が提供されていなかった。
【００１０】
なお、出願人側で、先行技術の調査を行ったが、本願考案に近似する先行技術は発見できなかったので、［特許文献］の記載は省略する。
【考案の開示】
【考案が解決しようとする課題】
【００１１】
上記から、
○考案が解決しようとする第１の課題は、
体重や体温を毎日測定して記録し、ペットの健康のバロメータとしてこれらを管理しようとするニーズが増加しつつあることに鑑みて、
ペットの体重や体温を同時に一台で測定することが可能な体温センサー付きペット用体重計を提供することである。
○考案が解決しようとする第２の課題は、
家庭内では、体重計や体温計を２台保持するとなると、使用していない場合の家庭内に収納スペースが必要となることに鑑みて
ペットの体重や体温を同時に一台で測定することが可能な収納が小スペースで済む小型の体温センサー付きペット用体重計を提供することである。
○考案が解決しようとする第３の課題は、
家庭内では、体重計や体温計を２台保持するとなると、購入価格が高くなるということに鑑みて
ペットの体重や体温を同時に一台で測定することが可能な購入価格が安価な体温センサー付きペット用体重計を提供することである。
【課題を解決するための手段】
【００１２】
本考案者は、上記の従来技術及び市販製品が有する各種の問題点に鑑み、出願人は種種研究し工夫を重ねた結果、当業者が予測困難な顕著な効果を有する本願考案を完成したものである。課題を解決するための手段は、本願の実用新案登録請求の範囲の各請求項に記載の考案であり、その具体的な解決手段は、以下の通りである。
【００１３】
本考案の解釈上の疑義を解消すべく、以下、予め用語の説明を行うこととする。
＜用語の説明＞
○体温センサー付きペット用体重計とは、体温測定も行うことができるペット用体重計をいう。すなわち、体温センサー付きペット用体重計は、ペットの体温測定もペットの体重測定も行うことができる測定器具をいう
○表示部とは、体温情報及び／又は体重情報を表示する表示部をいう。表示部は、静止画または動画の映像信号を表示する機器である。液晶ディスプレイ等が用いられている。
○体温センサーとは、体温を測定するセンサーをいう。
【００１４】
本願考案においては、サーミスタや赤外線検知回路を組み込んだ電子回路によって測定するデジタル式センサーをいう。
○リード線とは、体温センサーとマイクロコンピュータの入力ポートを接続する線をいう。
○信号線とは、マイクロコンピュータの出力ポートと表示部を電気的に接続する線をいう。
○体重センサーとは、体重を測定するセンサーをいう。
【００１５】
本願考案においては、ストレインゲージやロードセル（荷重による変位量がわかっている物体とひずみゲージを組み合わせた荷重センサ）等を組み込んだ電子回路によって測定するデジタル式センサーをいう。
○第２リード線とは、体重センサーとマイクロコンピュータの入力ポートを接続する線をいう。
○メモリーとは、コンピュータ内でデータやプログラムを記憶する装置をいう。広義にはハードディスクやフロッピーディスクなどの外部記憶装置（補助記憶装置）も含むが、単に「メモリ」と言った場合は、ＣＰＵ（中央処理装置）が直接読み書きできるＲＡＭやＲＯＭなどの半導体記憶装置のことを意味する。特に、ＲＡＭを利用したＣＰＵの作業領域は主記憶装置（メインメモリ）と呼ばれ、コンピュータの性能を大きく左右する重要な装置である。
○体温測定値情報とは、体温センサーからマイクロコンピュータの入力ポートへ伝送される情報をいう。
○体温情報とは、マイクロコンピュータの出力ポートから表示部に体温を表示するために表示部（体温）表示部）伝送される情報をいう。
○体重測定値情報とは、体重センサーからマイクロコンピュータの入力ポートへ伝送される情報をいう。
○体重情報とは、マイクロコンピュータの出力ポートから表示部に体重を表示するために表示部（体重）表示部）へ伝送される情報をいう。
○ＣＰＵ（シーピーユー、Ｃｅｎｔｒａｌ  Ｐｒｏｃｅｓｓｉｎｇ  Ｕｎｉｔ  −  セントラルプロセッシングユニット）は、プログラムによって様々な数値計算や情報処理、機器制御などを行うコンピュータにおける中心的な電子回路である。中央処理装置（ちゅうおうしょりそうち）あるいは中央演算処理装置（ちゅうおうえんざんしょりそうち）とも言われる。
○マイクロコンピュータとは、コンピュータの中枢部（最低限ＣＰＵ部分）をひとつの大規模集積回路  （ＬＳＩ）  に集積したものをいう。
○入力ポートとは、マイクロコンピュータにおいて、装置の外部に接続する機器からの情報の入力に使用するインタフェースを指す。
○出力ポートとは、マイクロコンピュータにおいて、装置の外部に接続する機器への情報の出力に使用するインタフェースを指す。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○第１の考案（請求項１に記載の考案）
上記の課題を解決するための第１の考案（請求項１に記載の考案）は、
体温センサー付きペット用体重計において、ペットの左右の足の股に張る体温センサーとフレキシブルなリード線及び表示部からなり、リード線は体温センサーとマイクロコンピュータの入力ポートに接続されると共に、表示部とマイクロコンピュータの出力ポートとが信号線で電気的に接続されていることを特徴とする体温センサー付きペット用体重計である。
○第２の考案（請求項２に記載の考案）
上記の課題を解決するための第２の考案（請求項２に記載の考案）は、
体温センサー付きペット用体重計において、体重センサーとフレキシブルな第２リード線からなり、第２リード線は体重センサーとマイクロコンピュータの入力ポートに接続されると共に、表示部とマイクロコンピュータの出力ポートとが信号線で電気的に接続されていることを請求項１〜２の何れかに記載の体温センサー付きペット用体重計である。
○第３の考案（請求項３に記載の考案）
上記の課題を解決するための第３の考案（請求項３に記載の考案）は、
表示部が、体温表示部と体重表示部とを備えていることを特徴とする請求項１〜２の何れかに記載の体温センサー付きペット用体重計である。
○第４の考案（請求項４に記載の考案）
上記の課題を解決するための第４の考案（請求項４に記載の考案）は、
表示部が、体温表示と体重表示を時間切り替えにより行うことを特徴とする請求項１〜３の何れかに記載の体温センサー付きペット用体重計である。
○第５の考案（請求項５に記載の考案）
上記の課題を解決するための第５の考案（請求項５に記載の考案）は、
体温センサーからの体温測定値情報をマイクロコンピュータの入力ポートに伝送し、マイクロコンピュータのＣＰＵで演算処理し、体温情報を出力ポートへ出力し、体温情報を表示部へ伝送して表示させることを特徴とする請求項１〜４の何れかに記載の体温センサー付きペット用体重計である。
○第６の考案（請求項６に記載の考案）
上記の課題を解決するための第６の考案（請求項６に記載の考案）は、
体重センサーからの体重測定値情報をマイクロコンピュータの入力ポートに伝送し、マイクロコンピュータのＣＰＵで演算処理し、体重情報を出力ポートへ出力し、体重情報を表示部へ伝送して表示させることを特徴とする請求項１〜５の何れかに記載の体温センサー付きペット用体重計である。
○第７の考案（請求項７に記載の考案）
上記の課題を解決するための第７の考案（請求項７に記載の考案）は、
表示部が、体温表示部と体重表示部とからなり、体温センサーからの体温測定値情報をマイクロコンピュータの入力ポートに伝送し、マイクロコンピュータのＣＰＵで演算処理し、体温情報を出力ポートへ出力し、体温情報を体温表示部へ伝送して表示させることを特徴とする請求項１〜６の何れかに記載の体温センサー付きペット用体重計である。
○第８の考案（請求項８に記載の考案）
上記の課題を解決するための第８の考案（請求項８に記載の考案）は、
表示部が、体温表示部と体重表示部とからなり、体重センサーからの体重測定値情報をマイクロコンピュータの入力ポートに伝送し、マイクロコンピュータのＣＰＵで演算処理し、体重情報を出力ポートへ出力し、体重情報を体重表示部へ伝送して表示させることを特徴とする請求項１〜７の何れかに記載の体温センサー付きペット用体重計である。
【考案の効果】
【００１６】
本考案に係る、体温センサー付きペット用体重計は、上記のような特徴的構成用件から構成され、特徴的構成用件に応じた、以下のような本願考案特有の効果を奏する。
【００１７】
また、上記のような特徴的構成用件から構成された体温センサー付きペット用体重計によれば、本願考案の課題を十分解消することができる。
○第１の考案の効果
第１の考案によれば、
体温センサー付きペット用体重計において、ペットの左右の足の股に張る体温センサーとフレキシブルなリード線及び表示部からなり、リード線は体温センサーとマイクロコンピュータの入力ポートに接続されると共に、表示部とマイクロコンピュータの出力ポートとが信号線で電気的に接続されているという特徴的構成要件により、
「ペットの体重や体温を同時に一台で測定することが可能な体温センサー付きペット用体重計を提供すること」が可能となり、本願考案の第１課題を達成できるという当業者が予測不可能な顕著な効果を奏することができた。
【００１８】
また、「ペットの体重や体温を同時に一台で測定することが可能な収納が小スペースで済む体温センサー付きペット用体重計を提供すること」が可能となり、本願考案の第２課題を達成できるという当業者が予測不可能な顕著な効果を奏することができた。
【００１９】
さらに、「ペットの体重や体温を同時に一台で測定することが可能な購入価格が安価な体温センサー付きペット用体重計を提供すること」が可能となり、本願考案の第３課題を達成できるという当業者が予測不可能な顕著な効果を奏することができた。
○第２の考案の効果
第２の考案によれば、
体温センサー付きペット用体重計において、体重センサーとフレキシブルな第２リード線からなり、第２リード線は体重センサーとマイクロコンピュータの入力ポートに接続されると共に、表示部とマイクロコンピュータの出力ポートとが信号線で電気的に接続されているという特徴的構成要件により、「ペットの体重や体温を同時に一台で測定することが可能な体温センサー付きペット用体重計を提供すること」が可能となり、本願考案の第１課題を達成できるという当業者が予測不可能な顕著な効果を奏することができた。
【００２０】
また、「ペットの体重や体温を同時に一台で測定することが可能な収納が小スペースで済む体温センサー付きペット用体重計を提供すること」が可能となり、本願考案の第２課題を達成できるという当業者が予測不可能な顕著な効果を奏することができた。
【００２１】
さらに、「ペットの体重や体温を同時に一台で測定することが可能な購入価格が安価な体温センサー付きペット用体重計を提供すること」が可能となり、本願考案の第３課題を達成できるという当業者が予測不可能な顕著な効果を奏することができた。
○第３の考案の効果
第３の考案によれば、
表示部が、体温表示部と体重表示部とを備えていることという特徴的構成要件により、当業者が予測不可能な本願考案の第１課題、第２課題及び第３課題を達成するための具体的構成を提供することができた。
○第４の考案の効果
第４の考案によれば、
表示部が、体温表示と体重表示を時間切り替えにより行うという特徴的構成要件により、当業者が予測不可能な本願考案の第１課題、第２課題及び第３課題を達成するための具体的構成を提供することができた。
【００２２】
表示部が、体重表示と体温表示を兼用するために、表示部は１／２に軽量、小型化することができコスト低減にも寄与することができたためである。
○第５の考案の効果
第５の考案によれば、
体温センサーからの体温測定値情報をマイクロコンピュータの入力ポートに伝送し、マイクロコンピュータのＣＰＵで演算処理し、体温情報を出力ポートへ出力し、体温情報を表示部へ伝送して表示させるという特徴的構成要件により、当業者が予測不可能な本願考案の第１課題、第２課題及び第３課題を達成するための具体的構成を提供することができた。
○第６の考案の効果
第６の考案によれば、
体重センサーからの体重測定値情報をマイクロコンピュータの入力ポートに伝送し、マイクロコンピュータのＣＰＵで演算処理し、体重情報を出力ポートへ出力し、体重情報を表示部へ伝送して表示させるという特徴的構成要件により、当業者が予測不可能な本願考案の第１課題、第２課題及び第３課題を達成するための具体的構成を提供することができた。
○第７の考案の効果
第７の考案によれば、
表示部が、体温表示部と体重表示部とからなり、体温センサーからの体温測定値情報をマイクロコンピュータの入力ポートに伝送し、マイクロコンピュータのＣＰＵで演算処理し、体温情報を出力ポートへ出力し、体温情報を体温表示部へ伝送して表示させるという特徴的構成要件により、当業者が予測不可能な本願考案の第１課題、第２課題及び第３課題を達成するための具体的構成を提供することができた。
○第８の考案の効果
第８の考案によれば、
表示部が、体温表示部と体重表示部とからなり、体重センサーからの体重測定値情報をマイクロコンピュータの入力ポートに伝送し、マイクロコンピュータのＣＰＵで演算処理し、体重情報を出力ポートへ出力し、体重情報を体重表示部へ伝送して表示させるという特徴的構成要件により、当業者が予測不可能な本願考案の第１課題、第２課題及び第３課題を達成するための具体的構成を提供することができた。
【考案を実施するための最良の形態】
【００２３】
以下、本考案に係る、体温センサー付きペット用体重計において、ペットの左右の足の股に張る体温センサーとフレキシブルなリード線及び表示部からなり、リード線は体温センサーと演算処理部に接続されると共に、表示部と演算処理部とが信号線で電気的に接続されていることを特徴とする体温センサー付きペット用体重計に関する好適な実施形態について、図面を参照しながら説明する。
【００２４】
［図１］  図１は、本考案に係る、体温計付きペット用体重計を示す図である。
【００２５】
［図２］  図２は、本考案に係る、本本考案に係る、動作手順のフローチャート図である。
【００２６】
［図３］  図３（ａ）は、本考案に係る、体温計付きペット用体重計の外観を示す図である。
【００２７】
図３（ｂ）は、体温計付きペット用体重計の断面を示す図である。
１＊＊＊＊＊＊＊＊＊＊＊＊＊＊＊＊＊＊＊＊＊＊＊＊＊＊＊＊＊＊＊＊＊＊
図１に示すように、
本考案に係る体温センサー付きペット用体重計１００は、ペットの左右の足の股に張る体温センサーＳ１とフレキシブルなリード線Ｌ１及び表示部Ｄから構成されている。
【００２８】
リード線Ｌ１は体温センサーＳ１とマイクロコンピュータＭＣの入力ポートＩＰに接続されると共に、表示部ＤとマイクロコンピュータＭＣの出力ポートＯＰとが信号線Ｌ０で電気的に接続されている。
【００２９】
マイクロコンピュータＭＣは、入力ポートＩＰ、種々の演算と制御を行うＣＰＵ、測定された体温データ、体重データを記憶させるＲＡＭ（メモリー）、制御用のプログラム等を記憶させたＲＯＭ、出力ポートＯＰを備えている。
２＊＊＊＊＊＊＊＊＊＊＊＊＊＊＊＊＊＊＊＊＊＊＊＊＊＊＊＊＊＊＊＊＊＊
さらに、本考案に係る体温センサー付きペット用体重計１００において、体重センサーＳ２とフレキシブルな第２リード線Ｌ２から構成されている。
【００３０】
第２リード線Ｌ２は体重センサーＳ２とマイクロコンピュータＭＣの入力ポートＩＰに接続されると共に、表示部ＤとマイクロコンピュータＭＣの出力ポートＯＰとが信号線Ｌ０で電気的に接続されている。
３＊＊＊＊＊＊＊＊＊＊＊＊＊＊＊＊＊＊＊＊＊＊＊＊＊＊＊＊＊＊＊＊＊＊
さらに、本考案に係る体温センサー付きペット用体重計１００において、表示部Ｄが、体温表示部Ｄ１と体重表示部Ｄ２とを備えている。
４＊＊＊＊＊＊＊＊＊＊＊＊＊＊＊＊＊＊＊＊＊＊＊＊＊＊＊＊＊＊＊＊＊＊
さらに、本考案に係る体温センサー付きペット用体重計１００において、表示部Ｄが、体重表示と体温表示を時間切り替えにより行うことも可能である。
５＊＊＊＊＊＊＊＊＊＊＊＊＊＊＊＊＊＊＊＊＊＊＊＊＊＊＊＊＊＊＊＊＊＊
さらに、本考案に係る体温センサー付きペット用体重計１００において、
体温センサーＳ１からの体温測定値情報Ｉ１０をマイクロコンピュータＭＣの入力ポートＩＰに伝送し、マイクロコンピュータＭＣのＣＰＵ１０で演算処理し、体温情報Ｉ１を出力ポートＯＰへ出力し、体温情報Ｉ１を表示部Ｄへ伝送して表示させる。
６＊＊＊＊＊＊＊＊＊＊＊＊＊＊＊＊＊＊＊＊＊＊＊＊＊＊＊＊＊＊＊＊＊＊
さらに、本考案に係る体温センサー付きペット用体重計１００において、
体重センサーＳ２からの体重測定値情報Ｉ２０をマイクロコンピュータＭＣの入力ポートＩＰに伝送し、マイクロコンピュータＭＣのＣＰＵ１０で演算処理し、体重情報Ｉ２を出力ポートＯＰへ出力し、体重情報Ｉ２を表示部Ｄへ伝送して表示させる。
７＊＊＊＊＊＊＊＊＊＊＊＊＊＊＊＊＊＊＊＊＊＊＊＊＊＊＊＊＊＊＊＊＊＊
さらに、本考案に係る体温センサー付きペット用体重計１００において、
表示部Ｄが、体温表示部Ｄ１と体重表示部Ｄ２とからなり、体温センサーＳ１からの体温測定値情報Ｉ１０をマイクロコンピュータＭＣの入力ポートＩＰに伝送し、マイクロコンピュータＭＣのＣＰＵ１０で演算処理し、体温情報Ｉ１を出力ポートＯＰへ出力し、体温情報Ｉ１を体温表示部Ｄ１へ伝送して表示させる。
８＊＊＊＊＊＊＊＊＊＊＊＊＊＊＊＊＊＊＊＊＊＊＊＊＊＊＊＊＊＊＊＊＊＊
さらに、本考案に係る体温センサー付きペット用体重計１００において、
表示部Ｄが、体温表示部Ｄ１と体重表示部Ｄ２とからなり、体重センサーＳ２からの体重測定値情報Ｉ２０をマイクロコンピュータＭＣの入力ポートＩＰに伝送し、マイクロコンピュータＭＣのＣＰＵ１０で演算処理し、体重情報Ｉ２を出力ポートＯＰへ出力し、体重情報Ｉ２を体重表示部Ｄ２へ伝送して表示させる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
本考案に係る体温センサー付きペット用体重計１００は、図２のフローチャートに示した手順によって動作する。以下、第２図のフローチャートに示した手順に従って、説明する。
【００３１】
ペットを体温センサー付きペット用体重計の上に載せると共に、ペットの左右の足の股に体温センサーＳ１を張る。
（１）体温の測定
体温スイッチＳｗ１を入力にする。
ペットの左右の足の股から、体温が体温センサーＳ１に伝達され、体温測定情報Ｉ１０が得られる。
【００３２】
体温センサーＳ１からの体温測定値情報Ｉ１０をマイクロコンピュータＭＣの入力ポートＩＰに伝送する。
【００３３】
マイクロコンピュータＭＣのＣＰＵ１０で演算処理し、体温情報Ｉ１を出力ポートＯＰへ出力し、体温情報Ｉ１を体温表示部Ｄ１へ伝送して表示させる。
（２）体重の測定
体温スイッチＳｗ１をＯＦＦにすると共に、体温スイッチＳｗ１をＯＮにする。
【００３４】
ペットの体重により、体重センサーＳ２が測定可能状態になり、体重測定情報Ｉ２０が得られる。
【００３５】
体重センサーＳ２からの体重測定値情報Ｉ２０をマイクロコンピュータＭＣの入力ポートＩＰに伝送する。
【００３６】
マイクロコンピュータＭＣのＣＰＵ１０で演算処理し、体重情報Ｉ２を出力ポートＯＰへ出力し、体重情報Ｉ２を体重表示部Ｄ２へ伝送して表示させる。
＊＊＊＊＊＊＊＊＊＊＊＊＊＊＊＊＊＊＊＊＊＊＊＊＊＊＊＊＊＊＊＊＊＊＊
体重スイッチＳｗ２をＯＦＦにすると共に、（１）体温の測定のフローチャートの最初に戻って、以下繰り返す。
＊＊＊＊＊＊＊＊＊＊＊＊＊＊＊＊＊＊＊＊＊＊＊＊＊＊＊＊＊＊＊＊＊＊＊
なお、ペットの名前をキーボードＫＢより入力し、体温情報、体重情報を、時刻データと共に、メモリー部へ記憶させることも可能である。
【図面の簡単な説明】
【００３７】
【図１】は、本考案に係る、体温計付きペット用体重計を示す図である。
【図２】は、本本考案に係る、動作手順のフローチャート図である。
【図３】（ａ）は、本考案に係る、体温計付きペット用体重計の外観を示す図である。（ｂ）は、体温計付きペット用体重計の断面を示す図である。
【符号の説明】
【００３８】
１００                体温センサー付きペット用体重計
Ｓ１                  体温センサー
Ｓ２                  体重センサー
Ｓｗ１                体温スイッチ
Ｓｗ２                体重スイッチ
ＩＰ                  入力ポート
ＯＰ                  出力ポート
Ｌ１                  リード線
Ｌ２                  第２リード線
Ｌ０                  信号線
Ｄ                    表示部
Ｄ１                  体温表示部
Ｄ２                  体重表示部
ＭＲ（ＲＡＭ）        メモリー
【図１】
0003146833.tif 000003
【図２】
0003146833.tif 000004
【図３】
0003146833.tif 000005